(57)【特許請求の範囲】
【請求項１】
洗い場床設置域の四辺の下側を構成する支持フレームと、床面部の周縁の少なくとも三辺に沿って形成した設置用起立部を支持フレームに支持させた洗い場床と、支持フレームと洗い場床の間に配置させて洗い場床設置域の四辺に沿って環状の溝部を形成した環状パッキンとを備え、設置用起立部が形成された床面部の周縁を環状パッキンの溝部の上方に位置させたことを特徴とする浴室ユニットの洗い場構造。
【請求項２】
前記環状パッキンは、溝部の内周側を弾性変形が容易な環状の内側周壁で形成し、内側周壁の上端縁を洗い場床の底面に水密に当接させた請求項１記載の浴室ユニットの洗い場構造。
【請求項３】
前記支持フレームは、洗い場床を載置させた床載置用片部と、床載置用片部の外
縁から上方へ延びた中間起立片部と、中間起立片部の上縁から外側へ延びた伏倒片
部とが連続的に形成され、環状パッキンは、溝部の底部と、溝部の外周側を形成す
る外側周壁部と、外側周壁部の上縁から外側へ延びる鍔状片部とが連続的に形成さ
れ、支持フレームの床載置用片部、中間起立片部及び伏倒片部を環状パッキンの底
部、外側周壁部及び鍔状片部で覆った請求項２記載の浴室ユニットの洗い場構造。
【発明の詳細な説明】
【技術分野】
【０００１】
本発明は、浴室ユニットの洗い場構造に関するものである。
【背景技術】
【０００２】
従来の浴室ユニットの洗い場構造には、洗い場床設置域の三辺の下側に配置した支持フレームと、支持フレームに被せた壁載置部材と、支持フレームに壁載置部材を介して支持させて建て込んだ壁パネルと、壁パネルを建て込んだ後に支持フレームに壁載置部材を介して支持させて設置した洗い場床と、洗い場床の外周立上片と壁パネルの間に介在したパッキンとを備え、洗い場床の周辺立上片を浴室内側から壁パネルに対してネジ等で固定したものがある（特許文献１）。
【先行技術文献】
【特許文献】
【０００３】
【特許文献１】特開２００３−２６８９９５号公報
【発明の概要】
【発明が解決しようとする課題】
【０００４】
前記浴室ユニットの洗い場構造は、支持フレームが配置されていない洗い場床設置域の一辺（浴槽設置域に隣接する辺）について別の止水構造を必要とするため、洗い場床の外周立上片と壁パネルの間に介在したパッキンと別の止水構造の継ぎ目からの漏水の危険性があり、コーキング等の止水作業が別途と必要となる問題がある。
【０００５】
本発明は、前記問題を解決するために、洗い場床設置域の四辺について漏水の危険性の無い浴室ユニットの洗い場構造の提供を目的とする。
【課題を解決するための手段】
【０００６】
洗い場床設置域の四辺について漏水の危険性を無くするために請求項１記載の本発明が採用した手段は、図１乃至図４に示す如く、洗い場床設置域Ａの四辺の下側を構成する支持フレーム２と、床面部４ａの周縁の少なくとも三辺に沿って形成した設置用起立部４ｂを支持フレーム２に支持させた洗い場床４と、支持フレーム２と洗い場床４の間に配置させて洗い場床設置域Ａの四辺に沿って環状の溝部６を形成した環状パッキン５とを備え、設置用起立部４ｂが形成された床面部４ａの周縁を環状パッキン５の溝部６の上方に位置させたことを特徴とする浴室ユニットの洗い場構造である。なお、洗い場床４の設置用起立部４ｂを環状パッキン５の溝部６に配置させることもある。
【０００７】
環状パッキンより内側の洗い場床の下側を湿らせないようにするために請求項２記載の本発明が採用した手段は、環状パッキン５は、溝部６の内周側を弾性変形が容易な環状の内側周壁部８で形成し、内側周壁部８の上端縁８ａを洗い場床４の底面４ｃに水密に当接させた請求項１記載の浴室ユニットの洗い場構造である。
【０００８】
洗い場床の外周に露出する支持フレームの縁側片部の止水を確実にするために請求項３記載の本発明が採用した手段は、支持フレーム２は、洗い場床４を載置させた床載置用片部２０と、床載置用片部２０の外縁から上方へ延びた中間起立片部２１と、中間起立片部２１の上縁から外側へ延びた伏倒片部２２（２４）とが連続的に形成され、環状パッキン５は、溝部６の底部７と、溝部６の外周側を形成する外側周壁部９と、外側周壁部９の上縁から外側へ延びる鍔状片部１０とが連続的に形成され、支持フレーム２の床載置用片部２０、中間起立片部２１及び伏倒片部２２（２４）を環状パッキン５の底部７、外側周壁部９及び鍔状片部１０で覆った請求項２記載の浴室ユニットの洗い場構造である。
【発明の効果】
【０００９】
請求項１記載の本発明に係る浴室ユニットの洗い場構造は、洗い場床の床面部の周縁から水が溢れてしまった場合でも環状パッキンの環状の溝部で受け止めることで、洗い場床設置域の四辺について漏水の危険性を無くすことができる。また、支持フレームを構成する部材間に継目がある場合にも、継目のない環状パッキンで覆われた部材間の継目からの漏水の危険性を無くすることができる。更に、現場施工の際にも、支持フレームに環状パッキンを設置するだけでよいため、コーキング材の充填や止水テープの手ばりする従来に比べて、簡単且つ確実に止水することができる。
【００１０】
請求項２記載の本発明に係る浴室ユニットの洗い場構造は、洗い場床の底面に環状パッキンの内側周壁の上端縁を水密に当接させることで、環状パッキンの溝部と洗い場床の下側との連通が遮断され、環状パッキンより内側の洗い場床の下側を湿らせないようにすることができる。
【００１１】
請求項３記載の本発明に係る浴室ユニットの洗い場構造は、洗い場床の外周に露出する支持フレームの縁側片部を形成する床載置用片部、起立片部及び伏倒片部を、環状パッキン３の底部、外側周壁部及び鍔状片部で覆うことで、洗い場床の外周に露出する支持フレームの縁側片部の止水を確実にすることができる。
【図面の簡単な説明】
【００１２】
【図１】本発明に係る浴室ユニットの洗い場構造の第１の実施の形態において支持フレームを構成する枠フレーム材の床載置用片部に洗い場床を載置して連結する手順を示す斜視図であって、図（Ａ）は洗い場床の載置前の状態を示し、図（Ｂ）は洗い場床を載置して連結した状態を示すものである。
【図２】図（Ａ）は同実施の形態において支持フレームと環状パッキンと洗い場床を分離して示す斜視図であって環状パッキン及び洗い場床の一部を切欠いたものであり、図（Ｂ）は図（Ａ）中の破線円ｂを拡大した斜視図、図（Ｃ）は図（Ａ）中の破線円ｃを拡大した斜視図である。
【図３】図２の図（Ａ）のＣ３−Ｃ３線箇所で断面して中間省略した正面断面図であって、図（Ａ）は支持フレームと環状パッキンと洗い場床を分離した状態を示し、図（Ｂ）は組み立てた状態を示すものである。
【図４】図２の図（Ａ）のＣ４−Ｃ４線箇所で断面して中間省略した側面断面図であって組み立てた状態を示すものである。
【図５】本発明に係る浴室ユニットの洗い場構造の第２の実施の形態を示す中間省略した正面断面図であって、図（Ａ）は支持フレームと環状パッキンと洗い場床を分離した状態を示し、図（Ｂ）は組み立てた状態を示すものである。
【図６】本発明に係る浴室ユニットの洗い場構造の第３の実施の形態を示す中間省略した側面断面図であって、図（Ａ）は環状パッキンを取付けた支持フレームと洗い場床を分離した状態を示し、図（Ｂ）は組み立てた状態を示すものである。
【発明を実施するための形態】
【００１３】
本発明に係る浴室ユニットの洗い場構造（以下、「本発明洗い場構造」という。）を図面に示す実施形態に基づいて説明する。なお、以下の説明において、「前」「後」「左」「右」「上」「下」は、図面に示されたものに拠る。
【００１４】
（第１の実施の形態）
図１乃至図４に示す第１の実施の形態に係る本発明洗い場構造１は、洗い場床設置域Ａの四辺の下側を構成する支持フレーム２と、床面部４ａの周縁の浴槽設置域Ｂに隣接する一辺（左辺）を除く他の三辺（前・後・右の各辺）に沿って形成した設置用起立部４ｂを支持フレーム２に支持させた洗い場床４と、支持フレーム２と洗い場床４の間に配置させて洗い場床設置域Ａの四辺に沿って環状の溝部６を形成した環状パッキン５を備え、設置用起立部４ｂが形成された床面部４ａの三辺の周縁を環状パッキン５の溝部６の上方に位置させて設置用起立部４ｂを環状パッキン５の溝部６に配置させると共に、浴槽設置域Ｂに隣接する床面部４ａの周縁の一辺（左辺）側を支持フレーム２に支持させてある。支持フレーム２に支持させた洗い場床４は、後述する床用連結構造３６で支持フレーム２に連結して浮き上がらないようにしてある。本発明洗い場構造１は、支持フレーム２の浴槽設置域Ｂに隣接する一辺を除く他の三辺に壁パネル３及び出入口扉（図示略）を支持させると共に、床面部４ａの浴槽設置域Ｂに隣接する周縁の一辺側にエプロン１２（図３（Ｂ）参照）の下端側を支持させてある。
【００１５】
前記支持フレーム２は、図２に示す如く、洗い場域Ａにおける浴槽設置域Ｂに隣接する一辺（左辺）の下側を構成する一辺構成用枠フレーム材１５と、洗い場域Ａにおける他の三辺（前・右・後の各辺）の下側を構成する三辺構成用枠フレーム材１６，１７，１８とを連結したものである。一辺構成用枠フレーム材１５は、洗い場床４が載置される水平な床載置用片部２０と、床載置用片部２０の外縁から上方へ延びる鉛直な中間起立片部２１と、中間起立片部２１の上縁から外側へ延びる床面部支持用の水平な伏倒片部２４とが連続的に形成されている。三辺構成用枠フレーム材１６（１７，１８）の各々は、洗い場床４が載置される水平な床載置用片部２０と、床載置用片部２０の外縁から上方へ延びる中間起立片部２１と、中間起立片部２１の上縁から外側へ延びる壁パネル載置用の水平な伏倒片部２２と、伏倒片部２２の外縁から上方へ延びる水返し機能及び壁パネル等の位置決め機能のある上端側起立片部２３が連続的に形成されている。各枠フレーム材１５（１６，１７，１８）は、亜鉛メッキ鋼板やステンレス鋼板等の板材を折曲げ加工する等して形成され、洗い場床設置域Ａの大きさに応じてその長さが決定される。なお、各枠フレーム材１５（１６，１７，１８）は、図示は省略したが、床載置用片部２０の内側縁から上方へ延びる延長起立片を設け、床載置用片部２０の曲げ剛性を大きくすることもある。
【００１６】
前記支持フレーム２は、四隅に枠フレーム材用連結構造（図示略）を設けて、施工現場において隣接する枠フレーム材どうし（１５と１６、１６と１７、１７と１８、１８と１５）の連結を容易にしてある。枠フレーム材用連結構造は、例えば、隣接する一方の枠フレーム材の中間起立片部２１又は伏倒片部２２から延びる立ち片部に設けた係合用片部と、隣接する他方の枠フレーム材の中間起立片部２１に設けた係合用開口部を備え、係合用開口部へ係合用片部を差し込んで係合させ、係合用片部と立ち片部とで係合用開口部の縁部を挟持して枠フレーム材どうしを連結し、枠フレーム材どうしの鉛直方向の分離を拘束するようにしてある。
【００１７】
前記支持フレーム２は、図２（Ａ）に示す如く、枠フレーム材１５，１６，１７，１８の内側に、第１補強フレーム材２６，２６、第２補強フレーム材２７，２７、第３補強フレーム材２８及び第４補強フレーム材２９を配置し、対峙する枠フレーム材１５，１７どうしを第１補強フレーム材２６，２６で連結し、第１補強フレーム材２６と枠フレーム材１６（１８）を第２補強フレーム材２７で連結し、第１補強フレーム材２６，２６どうしを第３補強フレーム材２８で連結し、第３補強フレーム材２８と枠フレーム材１７を第４補強フレーム材２９で連結してある。支持フレーム２は、第１補強フレーム材２６，２６の各々に、フレーム設置用の支持脚３４，３４を取り付けてある。各補強フレーム２８（２６，２７，２９）は、図２（Ｂ）に示す如く、亜鉛メッキ鋼板やステンレス鋼板等からなる板材を折曲げ加工する等して形成され、底片部３１と、底片部３１の両長手縁から上方へ延びる起立片部３２，３２と、各起立片部３２の長手上縁から外側へ延びる水平な鍔片部３３とが連続的に形成されている。
【００１８】
前記第１補強フレーム材２６、第２補強フレーム材２７及び第４補強フレーム材２９を枠フレーム材１５〜１６に連結する補強・枠フレーム連結構造、並びに、第１補強フレーム材２６と第２補強フレーム材２７、第１補強フレーム材２６と第３補強フレーム材２８及び第３補強フレーム材２８と第４補強フレーム材２９を連結する補強フレームどうし連結構造は、図示は省略したが、例えば、連結する一方に設けた係合用片部と他方に設けた係合用開口部を備え、係合用開口部へ係合用片部を差し込んで係合させ、係合用片部と立ち片部とで係合用開口部の縁部を挟持して連結し、連結するフレーム材どうしの鉛直方向の分離を拘束するようにしてある。
【００１９】
前記支持フレーム２は、前記枠フレーム材用連結構造、補強・枠フレーム連結構造及び補強フレームどうし連結構造について、係合用片部を係合用開口部へ差し込む方向として直交する二種類を混在させることで、連結箇所を分離し難くしてある。支持フレーム２は、これら連結構造を採用することで、施工現場で容易に組立てられるようになっている。なお、支持フレーム２は、枠フレーム材どうしの連結、枠フレーム材と補強フレーム材の連結及び補強フレーム材どうしの連結を支持フレーム製造工場における溶接で行い、組み立てた状態で施工現場へ搬入する態様とすることも可能である。
【００２０】
前記支持フレーム２は、図２（Ａ）に示す如く、浴槽設置域Ｂに隣接する一辺の枠フレーム１５に浴槽設置用支持フレーム１３，１３が連結される。
【００２１】
前記洗い場床４は、図２（Ａ）、図１、図３及び図４に示す如く、合成樹脂素材又は金属素材等から成形され、床面部４ａの周縁の浴槽設置域Ｂに隣接する一辺（左辺）を除く他の三辺（前・後・右の各辺）の裏面側に下方へ延びる設置用起立部４ｂが形成されていると共に、床面部４ａの周縁の一辺（左辺）側から外側へ延びる水平設置片部４ｅが形成され、三辺（前・後・右の各辺）の各設置用起立部４ｂを、支持フレーム２を構成する各枠フレーム材１６（１７，１８）の床載置用片部２０に環状パッキン５を介して載置すると共に、水平設置片部４ｅを、枠フレーム材１５の伏倒片部２４に環状パッキン５を介して載置してある。洗い場床４は、図示は省略したが、床面部４ａの裏面側に補強用リブを設けて床面部４ａの曲げ剛性を大きくすることもある。なお、洗い場床４は、図示は省略したが、床面部４ａの周縁の浴槽設置域Ｂに隣接する一辺（左辺）の裏面側に下方へ延びる設置用起立部４ｂを形成し、この設置用起立部４ｂを、支持フレーム２を構成する枠フレーム材１５の床載置用片部２０に環状パッキン５を介して載置させることも可能である。
【００２２】
前記洗い場床４は、図３（Ｂ）及び図２（Ａ）に示す如く、浴槽設置域Ｂに隣接する床面部４ａの一辺（左辺）側に前後方向に沿って水返し片部４ｄを突設して、エプロン１２を取付けるようにしてある。エプロン１２は、洗い場室内Ｒ側から本体部１２ａの下端側を水返し片部４ｄにビス止め１９されると共に、本体部１２ａの凹部に嵌着した化粧カバー１２ｂでビス頭を覆って止水してある。
【００２３】
前記環状パッキン５は、図２（Ａ）（Ｃ）及び図１に示す如く、ゴム素材又は合成樹脂素材等から成形され、支持フレーム２の四辺を形成する枠フレーム１5 ，１６，１７，１８の各床載置用片部２０に当接する環状の底部７と、底部７の内側から上方へ延びて上端縁８ａが洗い場床４の底面４ｃへ水密状に当接する継ぎ目の無い環状の内側周壁部８と、底部７の外側から上方へ延びて枠フレーム１5 ，１６，１７，１８の各中間起立片部２１に当接する環状の外側周壁部９とで上端開口の環状溝部６を形成して、枠フレーム１5 ，１６，１７，１８の各床載置用片部２０及び各中間起立片部２１を覆っている。また、環状パッキン５は、外側周壁部９の上縁から外側へ延びる鍔状片部１０を枠フレーム１5 ，１６，１７，１８の各伏倒片部２２（２４）に当接させて、各伏倒片部２２（２４）を覆っている。更に、環状パッキン５は、浴槽設置域Ｂに隣接しない三辺（前・後・右の各辺）の枠フレーム１６，１７，１８に対応する各鍔状片部１０の外側縁から上方へ延びる溝状の縁部１１を形成して、枠フレーム１６，１７，１８の各上端側起立片部２３に縁部１１を嵌着して覆うようにすると共に、浴槽設置域Ｂに隣接する一辺（左辺）の枠フレーム１５に対応する鍔状片部１０の外側縁から上方へ延びる片状の縁部１１（図３参照）を形成し、水が溢れでようとするのを防止してある。環状パッキン５は、支持フレーム２に取付けるときに、枠フレーム１６，１７，１８の上端側起立片部２３に溝状の縁部１１を外嵌装着させることで、支持フレーム２の所定位置に移動しないように配置することができ、環状パッキン５の上に洗い場床４を配置するときにも移動することがなく、所定位置の配置を維持することができる。
【００２４】
本発明洗い場構造１は、洗い場床４の外周に露出する支持フレーム２の縁側片部を形成する枠フレーム１5 ，１６，１７，１８の各床載置用片部２０、各中間起立片部２１、各伏倒片部２２（２４）及び各上端側起立片部２３を、環状パッキン５の底部７、外側周壁部９、鍔状片部１０及び縁部１１で覆うことで、洗い場床４の外周に露出する支持フレーム２の縁側片部の止水を確実にすることができる。
【００２５】
前記環状パッキン５は、環状溝部６の適所から枠フレーム１5 〜１８の床載置用片部２０を貫通して延設する排水具（図示略）を取り付け、環状溝部６で受け止めた水を排水具を介して排水トラップ等へ排出するようにすることもある。
【００２６】
前記環状パッキン５は、図２（Ａ）（Ｃ）及び図１に示す如く、全体を軟質の素材から一体成形すると共に、環状の内側周壁部８の内側を中空にした横断面を略菱形状に形成して圧縮弾性変形が容易となるようにし、圧縮弾性変形させた内側周壁部８の上端縁８ａを洗い場床４の底面４ｃに反発弾性力で圧接させて水密性を向上させ、環状パッキン５より内側の洗い場床４の下側を湿らせないようにすることができる。
【００２７】
支持フレーム２に洗い場床４を連結する床用連結構造３６は、洗い場床４の前後側の複数箇所（本例では計８箇所）に設けてある。各床用連結構造３６は、図１〜図３に示す如く、洗い場床４の床面部４ａ又は補強用リブ（図示略）から下方へ突設したフック状の一方の係合部３７と、支持フレーム２の四辺の枠フレーム材１５，１６，１７，１８の各床載置用片部２０の内側縁部で形成した他方の係合部３８（図２（Ａ）参照）を備え、洗い場床４を支持フレーム２に載置するときに、一方の係合部３７を弾性変成させつつ先端引掛け部３７ａが他方の係合部３８を通過して係合部３８に係合することで洗い場床４を浮き上がらないように連結できるようにしてある。各床用連結構造３６は、洗い場床４を取外すとき、支持フレーム２に連結されている洗い場床４を持ち上げて一方の係合部３７を非係合方向へ弾性変形させることで、他方の係合部３８に対する一方の係合部３７の先端引掛け部３７ａの係合を解き、その後に洗い場床４を更に持ち上げることで支持フレーム２から分離させることができる。床用連結構造３６を設ける個数及び位置は、支持フレーム２及び洗い場床４の大きさに応じて適宜変更される。
【００２８】
本発明洗い場構造１は、床用連結構造３６の洗い場床４に設けた一方の係合部３７と枠フレーム材１５〜１８に設けた他方の係合部３８を離脱させて洗い場床４を撤去することで、洗い場床４の床下点検等が可能となる。
【００２９】
本発明洗い場構造１は、支持フレーム２に洗い場床４を載置して床用連結構造３６で連結した後に、図３（Ｂ）及び図４に示す如く、洗い場床４の三辺の設置用起立部４ｂと環状パッキン５の外周周壁部９の間に形成されている隙間にコーキング材３９を充填して止水することもある。
【００３０】
本発明洗い場構造１は、環状パッキン５の溝部６が連続した環状に形成されているため、枠フレーム材１６（１５，１７，１８）の連結部における隣接する床載置用片部２０，２０どうしの間に隙間が形成されたり、枠フレーム材１６（１５，１７，１８）の床載置用片部２０の途中に切欠き部が形成されていたとしても、環状パッキン５の溝部６を形成する底部７が、これら隙間や切欠き部を跨ぐことができるので、環状パッキン５で覆われる枠フレーム材１６（１５，１７，１８）の箇所を止水することができる。
【００３１】
また、本発明洗い場構造１は、環状パッキン５の溝部６の内周側を弾性変形が容易な環状の内側周壁部８で形成してあるため、枠フレーム材１６（１５，１７，１８）の各床載置用片部２０について長手方向に沿った上下方向や左右（又は前後）方向の多少の変形があったとしても、床載置用片部２０の変形に追従して内側周壁部８が変形するため、内側周壁部８の上端縁８ａを洗い場床４の底面４ｃに水密に当接させることができる。
【００３２】
（第２の実施の形態）
図５に示す第２の実施の形態に係る本発明洗い場構造５１は、洗い場床４の設置用起立部４ｂの位置、環状パッキン５の内側周壁部８の形状及びエプロン１２の下端側の支持構造が前記第１の実施の形態と大きく異なり、その他の部分については第１の実施の形態と実質的に同一であり、図５において図１〜図４と同一符号は相当部分を示す。
【００３３】
洗い場床４は、四辺（前・後・右・左の各辺）の各設置用起立部４ｂを床面部４ａの外周縁より内側に位置させることで、環状パッキン５の環状の内側周壁部８の内側に位置して支持フレーム２の四辺の枠フレーム材１５，１６，１７，１８の床載置用片部２０に載置するようにしてある。前記環状パッキン５は、環状の内側周壁部８の内側を中空にした横断面を略楕円状に形成してある。
【００３４】
エプロン１２は、洗い場室内Ｒの外側で、エプロン１２の下端側を洗い場床４の左側の水平設置片部４ｅと共に支持フレーム２にビス止め１９してある。なお、本例では、支持フレーム２にビス止め１９された左側の水平設置片部４ｅの上下移動が拘束されるため、洗い場床４を支持フレーム２に連結させる床用連結構造３６のうち、浴槽設置域Ｂ側となる左側の前後方向に沿って配置するものを省略することができる。
【００３５】
（第３の実施の形態）
図６に示す第３の実施の形態に係る本発明洗い場構造６１は、環状パッキン５の構造及び洗い場床４を支持フレーム２に連結させる床用連結構造４６が前記第１の実施の形態と大きく異なり、その他の部分については第１の実施の形態と実質的に同一であり、図６において図１〜図４と同一符号は相当部分を示す。
【００３６】
環状パッキン５は、環状の内側周壁部８を圧縮弾性変形し易い軟質素材で横断面矩形状又は略菱形状等に成形すると共に、内側周壁部８を除く底部７、外側周壁部９、鍔状片部１０及び縁部１１を内側周壁部８に比べ弾性変形し難い素材で成形して取付け易くし、底部７と内側周壁部８とを、一体で押出成形するか又は接着若しくは粘着等して一体化してある。
【００３７】
床用連結構造４６は、洗い場床４の下面側に設けた一方の係合部４７と、枠フレーム材１６，１８（１５，１７）の床載置用片部２０の適所に設けた他方の係合部４８とからなり、一方の係合部４７を先端に拡径部４７Ａａを設けた棒状係合具４７Ａで形成すると共に、他方の係合部４８を枠フレーム材１６，１８（１５，１７）の床載置用片部２０に穿設した嵌挿孔４８ａで形成して、嵌挿孔４８ａに棒状係合具４７Ａの拡径部４７Ａａを無理ばめ嵌合させることで着脱自在に係合させ、洗い場床４の水平方向の移動と浮き上がりを防止するようにしてある。
【００３８】
（その他の実施の形態）
支持フレーム２に洗い場床４を着脱自在に連結する床用連結構造は、前記床用連結構造３６，４６以外に、図示は省略したが、支持フレーム２を構成する枠フレーム材１６（１５，１７，１８）の床載置用片部２０と洗い場床４の下面側の間に面ファスナーを設け、面ファスナーて着脱自在に連結して、洗い場床４の水平方向の移動と浮き上がりを防止するように構成することも可能である。
【符号の説明】
【００３９】
１（５１，６１）…本発明洗い場構造、２…支持フレーム、３…壁パネル、４…洗い場床、４ａ…床面部、４ｂ…設置用起立部、４ｃ…底面、４ｄ…水返し片部、４ｅ…水平設置片部、５……環状パッキン、６…溝部、７…底部、８…内側周壁部、８ａ…上端縁、９…外側周壁部、１０…鍔状片部、１１…縁部、１２…エプロン、１２ａ…本体部、１２ｂ…化粧カバー、１３…浴槽設置用支持フレーム、１５…一辺構成用枠フレーム材、１６…三辺構成用枠フレーム材、１７…三辺構成用枠フレーム材、１９…ビスト止め、１８…三辺構成用枠フレーム材、２０…床載置用片部、２１…中間起立片部、２２…伏倒片部（壁パネル載置用）、２３…上端側起立片部、２４…伏倒片部（エプロン設置用）、２６…第１補強フレーム材、２７…第２補強フレーム材、２８…第３補強フレーム材、２９…第４補強フレーム材、３１…底片部、３２…起立片部、３３…鍔片部、３４…脚、３６…床用連結構造、３７…一方の係合部、３７ａ…先端引掛け部、３８…他方の係合部、４６…床用連結構造、４７…一方の係合部、４７Ａ…棒状係合具、４７Ａａ…拡径部、４８…他方の係合部、４８ａ…嵌挿孔、Ａ…洗い場床設置域、Ｂ…浴槽設置域、Ｒ…洗い場室内
【図１】
0005662194.tif 000002
【図２】
0005662194.tif 000003
【図３】
0005662194.tif 000004
【図４】
0005662194.tif 000005
【図５】
0005662194.tif 000006
【図６】
0005662194.tif 000007